Podtech/llm-jp-corpus-v4-ja_patent huggingface dataset:
(57)【要約】【課題】ファッション性の高いストールを提供すること。【解決手段】左右２片の布よりなり、左側の１片の布は、その右側が直線で左側が直線上部より円形に張り出してさらにゆるい円形に垂下しその下部において直線状の山形に切れ込んで右側の直線下部に繋がる形の布で、右側の１片の布は、その左側が直線で右側が直線上部より円形に張り出してさらにゆるい円形に垂下しその下部において直線状の山形に切れ込んで左側の直線下部に繋がる形の布で、この２片の布を、それぞれの直線部で左右対称に向かい合わせ、その直線部の上部より１８ｃｍ位のところの一点を結合する。【選択図】図１
0003140050.tif 000002
【実用新案登録請求の範囲】
【請求項１】
左右２片の布よりなり、左側の１片の布は、その右側が直線で左側が直線上部より円形に張り出してさらにゆるい円形に垂下しその下部において直線状の山形に切れ込んで右側の直線下部に繋がる形の布で、右側の１片の布は、その左側が直線で右側が直線上部より円形に張り出してさらにゆるい円形に垂下しその下部において直線状の山形に切れ込んで左側の直線下部に繋がる形の布で、この２片の布を、それぞれの直線部で左右対称に向かい合わせ、その直線部の上部より１８ｃｍ位のところの一点を結合してなる、ストール。
【請求項２】
２片の布は、表裏の合わせ布である、請求項１に記載の、ストール。
【考案の詳細な説明】
【技術分野】
【０００１】  本考案は、いろいろな着用のしかたが楽しめ、ファッション性に優れたストールに関するものである。
【背景技術】
【０００２】  従来、ストールは長方形状のものが一般的で、これを首に巻いたり、広げて肩掛けに使用する等していた。
また、長方形の布の略真中に首を入れる穴を設け、そこから一方に直線状の切り込みを入れた形の肩掛けとして提案されたものに下記の文献がある。【０００３】
【特許文献１】  特開平１０−１２１３１１
【考案の開示】
【考案が解決しようとする課題】
【０００４】  特開平１０−１２１３１１においては、長方形の布の略真中に首を入れる穴を設け、そこから一方に直線状の切り込みを入れ、真中の穴に首を入れて肩にかけ、切り込み部をヒモ等で結ぶというものである。また、前身頃と後身頃の左右にそれぞれ切り込みを入れたものも提案されている。しかし、これらはあまりファッション性に優れているとは言えない。
本考案は、曲線的な形を用い、２片の布を一点で結合させることにより、よりファッション性の高いストールを提供しようとするものである。
【課題を解決するための手段】
【０００５】  左右２片の布よりなり、左側の１片の布は、その右側が直線で左側が直線上部より円形に張り出してさらにゆるい円形に垂下しその下部において直線状の山形に切れ込んで右側の直線下部に繋がる形の布で、右側の１片の布は、その左側が直線で右側が直線上部より円形に張り出してさらにゆるい円形に垂下しその下部において直線状の山形に切れ込んで左側の直線下部に繋がる形の布で、この２片の布を、それぞれの直線部で左右対称に向かい合わせ、その直線部の上部より１８ｃｍ位のところの一点を結合する。
【考案の効果】
【０００６】  本考案は、いろいろな形の着用のしかたができるので、女性がストールの巻き方等を工夫することにより服装に合わせた巻き方にしてファッションを楽しむことができる。
【考案を実施するための最良の形態】
【０００７】  本考案の構造を図１により説明する。
左右２片の布よりなるストールであって、左側のストールの左片（２）は、その右側が直線で、左側が直線上部より円形に張り出してさらにゆるい円形に垂下し、その下部において直線状の山形に切れ込んで右側の直線下部に繋がる形となっている。
一方の右側のストールの右片（３）は、その左側が直線で、右側が直線上部より円形に張り出してゆるい円形に垂下し、その下部において直線状の山形に切れ込んで左側の直線下部に繋がる形となっている。
ストールの左片（２）とストールの右片（３）とは同じ形で、左右対称に置かれるのである。
このようにしてストールの左片（２）とストールの右片（３）の直線部を向かい合わせた後、その直線部の上から約１８ｃｍ位のところの結合部（４）を縫製等の方法により一点で結合する。
この形はちょうど蝶が羽を広げた形に近似しているともいえる。【０００８】  ストールの左片（２）及びストールの右片（３）はそれぞれ表裏の合わせ布とすれば、表裏のそれぞれに違った柄を配することにより、バラエティーに富んだファッションを楽しむことができる。【０００９】  ストール（１）を広げた場合の全体の寸法は縦が約１００ｃｍから１２０ｃｍ、横が最大巾のところで９５ｃｍから１１５ｃｍ位で、着用する人の体格に合わせて作製すればよい。
また、生地はできるだけ滑り難くてしなやかな薄手の生地にすれば、肩にかけておくだけでもそのままの状態を維持できる。
【使用例１】
【００１０】  図２に、本考案の使用例１を示す。
本使用例１においては、結合部（４）を首の後にしてストールの左片（２）及びストールの右片（３）を広げて肩にかけ、前にたらした部分を交差させてそれぞれ反対側の肩に回してかけたものである。
【使用例２】
【００１１】  図３に、本考案の使用例２を示す。
本使用例２においては、結合部（４）をゆるく首の前に持ってきて、ストールの左片（２）及びストールの右片（３）を肩にかけて後にたらし、その先端を後で結んだものである。
【使用例３】
【００１２】  図４に、本考案の使用例３を示す。
本使用例３においては、結合部（４）をきっちり首の前に持ってきて、ストールの左片（２）及びストールの右片（３）を肩にかけて後にたらし、その先端をそれぞれ反対側に回して巻くように前に持ってきて前部で軽く結んだものである。
【００１３】  上記使用例の他にも斜め掛けにするとか二重巻きする等いろいろな着用のしかたができるので、それぞれの人のセンスに合わせた着用のしかたでファッションを楽しむことができる。
【図面の簡単な説明】
【００１４】
【図１】  本考案のストール
【図２】  本考案の使用例１  （Ａ）は前から見た図、（Ｂ）は後から見た図
【図３】  本考案の使用例２  （Ａ）は前から見た図、（Ｂ）は後から見た図
【図４】  本考案の使用例３  （Ａ）は前から見た図、（Ｂ）は後から見た図
【符号の説明】
【００１５】１  ストール
２  ストールの左片
３  ストールの右片
４  結合部
【図１】
0003140050.tif 000003
【図２】
0003140050.tif 000004
【図３】
0003140050.tif 000005
【図４】
0003140050.tif 000006
(57)【要約】      （修正有）【課題】利用者が身長・座高に合わせてシャワーヘッドの位置を容易に調整できる。【解決手段】着脱可能なシャワーヘッドホルダーは、利用者の体型に合わせて位置を変更することが可能となり、更に取付確認表示機能が付いた強力な吸盤を用いており、使用時に湯または水の吐出する際の圧力にも十分耐えられるもので、吸盤が外れたり、ずれたりして落下する危険性は極めて少ない。【選択図】図１
0003140043.tif 000002
【実用新案登録請求の範囲】
【請求項１】
取付確認表示機能を持った吸盤を使うことにより、浴室内において取り付け取り外しが容易な、シャワーヘッドホルダー。
【考案の詳細な説明】
【技術分野】
【０００１】本考案は、一般に浴室内に設置するシャワーヘッドホルダーはネジ等の固定式であり、設置に工事を必要とするため、使用者の体型に合わせてシャワーヘッドを移動して取り付けたい場合においても簡単に増設できないという問題を回避させた可動式シャワーヘッドホルダーに関したものである。
【背景技術】
【０００２】一般的にユニットバス、タイルの浴室においては、シャワーヘッドホルダーはネジ等の固定式であり、設置に工事を必要とするため、一度設置してしまうと位置の調整ができず、シャワーを使用する人の体型によりシャワーヘッドの位置を合わせるということが困難である。
【考案の開示】
【考案が解決しようとする課題】
【０００３】多くの場合シャワーヘッドの位置を変更する場合、固定式のシャワーヘッドホルダーを接着剤やボルト等で増設するが、この場合でもあくまで固定式であり、使用する人に合わせて位置を変えて着脱を行うという問題は解決できない。
【課題を解決するための手段】
【０００４】上記目的を達成するために、シャワーヘッドホルダーの固定には取付確認表示機能付強力吸盤を用いることで、着脱可能にする。
【考案の効果】
【０００５】本考案の着脱可能なシャワーヘッドホルダーは、浴室内壁面への固定に取付確認表示機能付吸盤を用いることで、吸着による十分な安定を確保できると同時に、浴室で自在に着脱できるためシャワーヘッドの位置を簡単に調整できる。
【考案を実施するための最良の形態】
【実施例】
【０００６】以下添付図面に従って実施例を説明する。図面１は全体のイメージ図で、図面２は正面から見た図、図面３は横から見た図である。通常のシャワーヘッドホルダーは、吸盤ではなく、ボルトなどで固定しているため、使用者の体型に合わせた調整ができないが、本機は吸盤を用いることにより、自由に着脱が可能で、使用者が自分の体型に合わせた位置でのシャワー利用を可能にする。
【図面の簡単な説明】
【０００７】
【図１】着脱可能なシャワーヘッドホルダーを示した全体イメージ図である
【図２】着脱可能なシャワーヘッドホルダーを正面から見た図である
【図３】着脱可能なシャワーヘッドホルダーを横から見た図である
【符号の説明】
【０００８】１  取付確認表示機能付吸盤
２  取付確認表示部
３  シャワーヘッドホルダー
【図１】
0003140043.tif 000003
【図２】
0003140043.tif 000004
【図３】
0003140043.tif 000005
(57)【要約】【課題】近年、浴室内に洗濯物を干す場合が増えており、浴室内において洗濯物を干すためにネジ等で固定する物干し竿受けや伸縮式の竿がある。ネジ等で固定する場合工事を必要とするため容易に取り付けられず、また、伸縮式の竿の長さを調整することで壁面を押す力を利用して固定する場合、時に外れたり、ずれたりするという欠点を持っている。【解決手段】本考案の着脱可能物干しは、取付確認表示機能が付いた強力な吸盤を用いており、伸縮式の竿がずれたり、落下したりする可能性は極めて少なく、浴室の形状に合わせて自由に長さを調整できる利点も持っている。【選択図】図１
0003140042.tif 000002
【実用新案登録請求の範囲】
【請求項１】
取付確認表示機能を持った吸盤を使うことにより、タイル壁面の浴室内あるいはユニットバスの室内等において取り付け取り外しが容易な物干し。
【考案の詳細な説明】
【技術分野】
【０００１】本考案は、一般に浴室内に洗濯物等を干す物干しを設置する際、ネジ等の固定式であり、設置に工事を必要とするため、容易に設置、取り外しができないという問題を回避させた物干しに関したものである。
【背景技術】
【０００２】近年、タイルの浴室やユニットバスの浴室内において洗濯物等を干すケースが増えてきているが、タイル面や、ユニットバスの壁面は竿などを固定する器具を取り付けることは困難である。そのため、伸縮式の棒状の押す力を利用したもので固定する場合があるが、重量に耐えられないという難点がある。
【考案の開示】
【考案が解決しようとする課題】
【０００３】伸縮式の棒は洗濯物の重量に耐えられず、常に落下の問題が発生する。また固定金物をタイル上あるいはユニットバス内に設置するためには工事を行う必要がある。同様に、浴室内の天井は重量のあるものを吊下げる構造となっていないため、洗濯物を干すための吊り金具などを設置するには不具合がある。
【課題を解決するための手段】
【０００４】着脱可能な竿架けは取付確認表示機能付強力吸盤を用い、吸盤上に伸縮可能な物干し竿が掛けられる形状のものを装着したもの２個で構成される。２個の吸盤を用い、伸縮式の竿の長さを調整した後に竿を吸盤に固定するこの構造により、設置する際工事をせずに洗濯物の重量に耐え、外れたり落下したりする可能性は極めて少なくなる。
【考案の効果】
【０００５】本考案の着脱可能な物干しは、浴室内等の壁面への固定に取付確認表示機能付吸盤を用い、伸縮可能な物干し竿を組み合わせることで、吸着による十分な安定を確保できると同時に、自在に着脱できる構造になっているため竿の位置を簡単に変更調整が可能となる。
【考案を実施するための最良の形態】
【実施例】
【０００６】以下添付図面に従って実施例を説明する。図面１は全体のイメージ図で、図面２は横から見た図、図面３は吸盤の拡大図である。本機の吸盤を用いることにより、自由に着脱が可能で、浴室内で簡単に物干し竿の設置を可能にする。
【図面の簡単な説明】
【０００７】
【図１】着脱可能な物干しを示した全体イメージ図である
【図２】着脱可能な物干しを横から見た図である
【図３】取付確認表示機能付吸盤の拡大図である
【符号の説明】
【０００８】１  取付確認表示機能付吸盤
２  伸縮調整部
３  取付確認表示部
【図１】
0003140042.tif 000003
【図２】
0003140042.tif 000004
【図３】
0003140042.tif 000005
(57)【要約】【課題】  本考案は弁当箱にコンパクトに箸を収納することができ、持ち運びを便利にする。【解決手段】  本考案は、弁当箱の容器２を密閉するプラスチック製の中蓋３の上面に係止片４を形成し、箸が前部側と後部側に分割されこれら箸前部と箸後部とが着け外し可能な分割箸において、分割された箸前部５ａと箸後部５ｂとがそれぞれ係脱できるようにすることにより、コンパクトで持ち運びに便利な弁当箱となっている。【選択図】図１
0003140045.tif 000002
【実用新案登録請求の範囲】
【請求項１】
容器本体とこの容器を密閉するプラスチック製の中蓋を有する弁当箱であって、前記中蓋の上面に分割箸を係脱する係止片を形成したことを特徴とする弁当箱。
【請求項２】
前記係止片に係脱可能な分割箸を具備したことを特徴とする請求項１記載の弁当箱。
【考案の詳細な説明】
【技術分野】
【０００１】  本考案は、中蓋に箸を係脱する部分を設けた、弁当箱に関する。
【背景技術】
【０００２】  弁当に「使用上便利な長さの箸」を携行する場合、弁当箱本体に収納できるよう備えられた箸入れを用いるか、または別に箸入れを用意していた。
【考案の開示】
【考案が解決しようとする課題】
【０００３】  本体に箸入れを備えた従来の弁当箱は、箸を入れるスペースを確保するために箸の長さ以上の大きさである必要があったり、箸自体が短い物しか入れる事が出来ず、その形状に制約があった。また、コンパクトな小さい弁当箱の場合、別に箸入れを携行することになるため嵩張ってしまうという問題点があった。
【課題を解決するための手段】
【０００４】  本考案は、弁当箱の容器を密閉するプラスチック製の中蓋の上面に係止片を形成し、箸が前部側と後部側に分割されこれら箸先部と箸後部とが着け外し可能な分割箸において、分割された箸前部と箸後部とがそれぞれ係脱できるようにすることにより問題点を解決している。
【考案の効果】
【０００５】  上述の様に、本考案に係る弁当箱は分割された分割箸を収納するため、コンパクトな弁当箱においても、使用する箸を弁当箱の中に収納し、弁当箱と別に箸入れを携行する必要がなくなる。【０００６】  また、従来の弁当箱と比べ、容器の形状をよりコンパクトにすることができ、持ち運びの利便性がよくなる。
【考案を実施するための最良の形態】
【０００７】  本考案の一実施形態を、添付図面に従って説明する。図１は本考案の弁当箱の一実施形態を示した概略図である。図２は、本考案の弁当箱を構成する中蓋の一実施形態を示した正投影図である。【０００８】  この弁当箱は、図１に示すように、容器下段１とこの容器下段１を閉塞する容器上段２と、外本体蓋６、容器上段２を密閉する中蓋３を備えている。前記中蓋３に、箸が前部側と後部側に分割されこれら箸前部と箸後部とが着け外し可能な分割箸５を係脱する。【０００９】  中蓋３はプラスチックから成形されており、図２に示すように、その上面には４つの係止片４を１組とし、２組の係止部分が形成されている。この２組の係止部分に、分割された分割箸の箸前部５ａと箸後部５ｂとがそれぞれ嵌まり込むようになっている。
【図面の簡単な説明】
【００１０】
【図１】本考案の弁当箱の一実施形態を示した概略図である。
【図２】本考案の弁当箱を構成する中蓋の一実施形態を示した正投影図である。
【符号の説明】
【００１１】  １  容器下段
２  容器上段
３  中蓋
４  係止片
５  分割箸
６  外本体蓋
【図１】
0003140045.tif 000003
【図２】
0003140045.tif 000004
(57)【要約】【課題】  露出度が高く、年齢を重ねるほど、しわ、たるみなどが出やすい女性の首筋に対するマスクを使った美容パックによるケア。【解決手段】  従来のフェイスマスクの形状を顎から首筋を覆うことができるように工夫することにより、フェイスからあご、首筋まで美容パックを同時に行うことによって、この課題を解決する。【選択図】図１
0003140049.tif 000002
【実用新案登録請求の範囲】
【請求項１】
女性の美容用具であるフェイスマスクの形状を変え、フェイス面に限られていた美容パックを首筋にまでおよぼすことを特徴とするフェイス＆ネックマスク。
【考案の詳細な説明】
【技術分野】
【０００１】  本考案は、フェイスマスクに関するものであり、フェイスマスクを顎から首筋にかけて覆うことができるようにその形状に工夫を加えることにより、首筋にも美容パックを施すためのものである。
【背景技術】
【０００２】  従来から、美容パック用具として、フェイスマスクが利用されている。
【考案の開示】
【考案が解決しようとする課題】
【０００３】  しかし、従来のフェイスマスクは、その美容効果がフェイス面に限られており、露出度が高く、年齢を重ねるほど、しわ、たるみなどが出やすい女性の首筋をケアする効果的手段がなかった。
【問題を解決する手段】
【０００４】  そこで、従来のフェイスマスクの形状を、顎から首筋の前面を覆うことができるように工夫し、首筋にも同時に美容パックを施せるフェイス＆ネックマスクを考案した。
【考案の効果】
【０００５】  本考案によって、フェイス面とともに、顎から首筋にいたる部分も同時にケアして、うるおい、つや、はり、弾力をもたせる美容効果を期待できる。
【考案を実施するための最良の形態】
【０００６】  図１に示すように、従来のフェイスマスクの形状を、両耳の下部から垂直線を書いた首筋の前面にも美容パックを施せるように工夫した。首筋を覆うマスク中央に切り込みを入れ、使用する際貼り付けやすくした。素材は、伸縮性のあるもので、マスクに塗布する美容液はフェイスおよび首筋を同時にケアする美容効果の高いものが望ましい。
【図面の簡単な説明】
【０００７】
【図１】  従来のフェイスマスクの形状に工夫を加え、首筋にも美容パックを施せるようにしたフェイス＆ネックマスクの平面図。
【図２】  既存のフェイスマスクの平面図。
【符号の説明】
【０００８】    １          両目に当たる部分はくりぬく
２          切り込み線
３          口に当たる部分もくりぬく
４          切り込み線
５          切り込み線
【図１】
0003140049.tif 000003
【図２】
0003140049.tif 000004
(57)【要約】      （修正有）【課題】太陽電池を、自然光や照明光に頼らずに人工的に充電する装置を提供する。【解決手段】人口的な光源と、「太陽電池を搭載する機器或いは太陽電池」を支える部分及び集光装置より構成される。【選択図】図１
0003140034.tif 000002
【実用新案登録請求の範囲】
【請求項１】
太陽電池（ソーラセル）を、人工的に充電する装置であり、人工的な光源装置と太陽電池を支える装置で構成される。
【請求項２】
太陽電池と光源の間に位置し、光源より発する光の発散を防ぎ太陽電池の受光面に光を集光させる装置。
【考案の詳細な説明】
【技術分野】
【０００１】  本発明は、太陽電池を人工的に充電するものである。
【技術背景】
【０００２】  蓄電池に直接電気を供給して充電する充電器は、蓄電池を使用する機器とともに広く販売されている。
【考案が解決しようとする課題】
【０００３】  しかしながら、腕時計や電卓に代表されるように太陽電池をエネルギー源とする電気・電子機器に対しては太陽電池を人工的に充電する機器が提供されてない。その為に電気・電子機器を継続的に使用するためには充電のために太陽光やその他の光に晒す必要がある。主として屋内で使用する場合は充電のために太陽電池（電気・電子機器）を敢えて太陽光に晒すなどの対応が必要となり不便である。
【課題を解決するための手段】
【０００４】  そこで本考案は、太陽光や照明用の光など本来充電のために発光しているのではない光源に頼るのではなく、太陽電池に人口的に光を当てる装置で充電することを目的とする。
【０００５】  本考案の装置は、人口的な光源と、「太陽電池を搭載する機器或いは太陽電池」を支える部分より構成される。
【０００６】  太陽電池を搭載する機器或いは太陽電池を支える部分は、太陽電池を支えて安定させると共に太陽電池の受光面に人工的な光が適切に照射されることを目的とする。
【０００７】  光源より発する光を発散させずに太陽電池の受光面に集光させるための反射面を持つカバーを取り付ける。
【発明の効果】
【０００８】  本発明により、太陽電池を充電する為に晴れの日中など時と場所の条件を見計らって充電する煩わしさから開放され任意の時間と場所で充電することが可能となる。
【図面の簡単な説明】
【０００９】
【図１】  本発明に係わる充電器の一例の概略斜視図である。
【図２】  本発明に係わる充電器の側面図である。上部に太陽電池腕時計を置いた例を示す。腕時計は太陽電池を光源に晒す向きに置く。
【図３】  本発明に係わる集光装置の概略斜視図である。
【符号の説明】
【００１０】  １  光源
２  太陽電池を支える装置
３  太陽電池を支える装置
４  太陽電池腕時計
５  光の集光装置
【図１】
0003140034.tif 000003
【図２】
0003140034.tif 000004
【図３】
0003140034.tif 000005
(57)【要約】【課題】      墓石の上台或いは花立て、線香立て、供物台等の墓石関連部材又は玉垣、銅像等の石材からなる基台の一部に刻設されている家紋、文字、模様等の着色が色褪せたり剥げ落ちたりしないしないようにすることが考案が解決しようとする課題である。【解決手段】  従来の石材に家紋等を刻設し着色しているのを、色褪せたりまた剥げ落ちたりしない他の部材からなる家紋等を取り付けること、これらが課題を解決するための手段である。【選択図】図２
0003140033.tif 000002
【実用新案登録請求の範囲】
【請求項１】
表面に適宜の家紋又は文字、模様等を表現した陶磁器製の板体であり、当該板体を墓石又は線香立て、花立て等の墓石関連部材、玉垣、銅像等の石材からなる基台の一部に固着せしめてなる石材等の装飾構造。
【請求項２】
陶磁器製の板体の裏面に係止部を突出せしめ、当該係止部を石材等に穿った穴に嵌入することにより、板体を石材等に固着すべく構成してなる請求項１の石材等の装飾構造。
【考案の詳細な説明】
【技術分野】
【０００１】  本考案は、墓石の上台或いは花立て、線香立て、供物台等の墓石関連部材又は玉垣、銅像等の石材からなる基台の一部に刻設されている家紋、文字、模様等の改良に関するものである。
【背景技術】
【０００２】  従来、墓石の上台或いは花立て、線香立て、供物台等の墓石関連部材又は玉垣、銅像等の石材からなる基台の一部に家紋或いは文字又はその他の模様等が刻設されていることは周知である。【０００３】  当該刻設された家紋等には例えば凸部分は黒く、凹部分は白くというように塗料を用いて着色されていることが多い。【０００４】  しかし、当然の事ながらこれらの墓石等は屋外にあり、風雨に晒され、また日光にも照射されることにより着色している塗料が色褪せ、また剥げ落ちることが多く、非常に見苦しくなることからその度に修正塗装の必要があった。
【考案の開示】
【考案が解決しようとする課題】
【０００５】  解決しようとする問題点は、墓石の上台或いは花立て、線香立て、供物台等の墓石関連部材又は玉垣、銅像等の石材からなる基台の一部に刻設されている家紋、文字、模様等の着色が色褪せたり剥げ落ちたりしないことである。
【課題を解決するための手段】
【０００６】  本考案は、従来の石材に家紋等を刻設し着色しているのを、色褪せたりまた剥げ落ちたりしない他の部材からなる家紋等を取り付けることである。
【考案の効果】
【０００７】  表面に適宜の家紋又は文字、模様等を表現した陶磁器製の板体であり、当該板体を墓石又は線香立て、花立て等の墓石関連部材、玉垣、銅像等の石材からなる基台の一部に固着せしめてなる石材等の装飾構造であり、更には、陶磁器製の板体の裏面に係止部を突出せしめ、当該係止部を石材等に穿った穴に嵌入することにより、板体を石材等に固着すべく構成してなる石材等の装飾構造であるから、従来は刻設されている家紋等に着色しているのが、日光に照射され、また風雨に晒されることによって色褪せ、剥げ落ちて見苦しくなることから修正塗装を余儀なくされていたが、本考案の陶磁器製の家紋等であれば着色部分が色褪せたり剥げ落ちたりすることはなく半永久的に美麗な状態を保つことができる。しかも、取り付けは石材に穿った穴に家紋等を表現した板体の係止部を嵌合し接着するだけであるから非常に容易である等、極めて実用的な顕著なる効果を有するものである。
【考案を実施するための最良の形態】
【０００８】  表面に適宜の家紋又は文字、模様等を表現した陶磁器製の板体であり、当該板体を墓石又は線香立て、花立て等の墓石関連部材、玉垣、銅像等の石材からなる基台の一部に固着せしめてなる石材等の装飾構造であり、更には、陶磁器製の板体の裏面に係止部を突出せしめ、当該係止部を石材等に穿った穴に嵌入することにより、板体を石材等に固着すべく構成してなる請求項１の石材等の装飾構造を呈せんとするものである。
【実施例１】
【０００９】  陶磁器製の板体１であり、当該板体１の表面には家紋２等を表現している。実施例においては、家紋部分２を凸状態として金色とし、当該家紋部分２の彫り込んだ凹部分を黒色、更に家紋部分２の周囲は凹状態として白色としている。板体１の形状、形態は表現する家紋、文字等にり異なるものであり、本実施例に限定を受けるものではない。【００１０】  板体１の裏面には係止部３を設けている。当該係止部３は実施例においては中央に突出せしめた円柱状の１個としているが、小径の係止部３を板体１裏面の複数個所に設けても良い。【００１１】  取り付け方法としては、石材等の表面に穴４を穿ち、当該穴４に板体１の係止部３を嵌入せしめ固着する。この際、穴４に係止部３を嵌入する時に接着剤を介在せしめればより堅固に固着することが出来る。【００１２】  また、板体１の裏面複数個所に穴４を穿ち、当該穴４にステンレス等のピンを埋設することも可能であり、また、石材等に板体１を直接に埋設すること、更には直接貼設することも可能である。【００１３】  本考案においては、板体１を墓石又は線香立て、花立て等の墓石関連部材、玉垣、銅像等の石材からなる基台の一部に固着せしめてなる石材等の装飾構造としているが、このような箇所だけではなく、屋根瓦の軒先部分の家紋、また鬼瓦につける家紋等にも利用することが可能であり、用途に限定を受けるものではない。
【産業上の利用可能性】
【００１４】  表面に適宜の家紋又は文字、模様等を表現した陶磁器製の板体１であり、当該板体１を墓石又は線香立て、花立て等の墓石関連部材、玉垣、銅像等の石材からなる基台の一部に固着せしめてなる石材等の装飾構造であり、更には、陶磁器製の板体１の裏面に係止部３を突出せしめ、当該係止部３を石材等に穿った穴４に嵌入することにより、板体１を石材等に固着すべく構成してなる石材等の装飾構造であるから、従来は刻設されている家紋２等に着色しているのが、日光に照射され、また風雨に晒されることによって色褪せ、剥げ落ちて見苦しくなることから修正塗装を余儀なくされていたが、本考案の陶磁器製の家紋２等であれば着色部分が色褪せたり剥げ落ちたりすることはなく半永久的に美麗な状態を保つことができる。しかも、取り付けは石材に穿った穴４に家紋２等を表現した板体１の係止部３を嵌合し接着するだけであるから非常に容易である。また用途も墓石関係だけでなく例えば屋根瓦、鬼瓦等にも利用でき、また家の門柱の表札等にも利用できる等その用途は拡大の可能性が大である等、産業上での利用可能性は極めて大きいものがある。
【図面の簡単な説明】
【００１５】
【図１】  実施例の墓石の家紋を表す斜視図
【図２】  家紋を表現した板体の斜視図
【図３】  取り付け構造を表す断側面図
【図４】  その他の利用箇所を示す斜視図
【符号の説明】
【００１６】  １  板体
２  家紋
３  係止部
４  穴
【図１】
0003140033.tif 000003
【図２】
0003140033.tif 000004
【図３】
0003140033.tif 000005
【図４】
0003140033.tif 000006
(57)【要約】      （修正有）【課題】自動罫引き盤の罫引針ホルダーに取り付け、ダンボールの表面を前後左右の方向に動かして罫引き溝を引くに当たり、ダンボールを引っ掛けて破いたり、傷付けたりする事無く、一定深さの罫引き溝を作りながら、滑らかに動く肩付罫引を提供する。【解決手段】長さ３０ｍｍ程、直径１５ｍｍ程の支持棒１の先端にコの字型の保持金具２が取り付けてあり、この保持金具は支持棒に対して平行な回動軸Ａを中心として自在に回動できるようにしてあり、この保持金具は回転する肩付きの車３を持ち、この車の中心面内で車がダンボール面に接する点４と車の回転中心の車軸を結んだ軸をＢとすると、回動軸Ａと軸Ｂは１ｍｍ程ずらして取り付けて置く。【選択図】図１
0003140038.tif 000002
【実用新案登録請求の範囲】
【請求項１】
ダンボール等に罫引きをするのに使用する道具で、回転する肩付きの車を使用し、その車の形状は、ダンボールへの接触部分の幅が１〜２ｍｍ、直径１２ｍｍ程で、接触部分の両側にはそれぞれ１〜２ｍｍ半径を小さくした幅１．５〜２ｍｍの肩部分を持たせ、車全体の厚さ４〜６ｍｍで、その車はコの字型の保持金具で上から吊り下げるように保持されており、この保持金具は直径１５ｍｍ程、長さ３０ｍｍ程のダンボールに対して垂直に位置する支持棒に、支持棒の軸方向と平行である回動軸Ａを中心として自在に回動できるよう取り付けてあり、一方前述の車の中心面内で車がダンボール面に接する点と車の車軸を結んだ軸をＢとすると、回動軸Ａと軸Ｂが平行でほぼ１ｍｍずれているように設置してあり、つまり罫引きの際この道具をダンボールに押し付けながら移動させると、回動軸Ａに対して車軸を通る軸Ｂは進行方向の反対側に回動し、車の回転面は絶えず進行方向に対して平行に向いて罫引きできるが、車は肩の部分までしかダンボールにめり込まないようになっているので、罫引き溝の深さを一定に設定できることを特徴とする肩付罫引。
【考案の詳細な説明】
【技術分野】
【０００１】  自動罫引き盤等に装着して、ダンボール等の表面に罫引き溝を作成するのに使用する罫引き用道具に関する。
【背景技術】
【０００２】  従来手動、自動に拘わらず、厚紙等に折り目をつけるために、押し付けて罫引きする鉄筆状の先端部の尖った道具・罫引針が使用されてきた。また船底型と称する、自由に回動する船底のような形をしたものを押し付けて罫引きする道具もあった。【０００３】  しかるに厚紙ではなくダンボールの場合は罫引き針が押し付けられると、ダンボールに食い込んでダンボールが切れてしまうことがあった。また船底型の場合は、くっきりした罫引き溝が引きにくいという難点があった。【０００４】  それを防ごうと回転する小さな車を持ち、この車の回転面が絶えず罫引具の進行方向に対して平行になるよう工夫されたものもあったが、これとて車のダンボールへの局所的な食い込みを防ぐことはできなかった。
【考案の開示】
【考案が解決しようとする課題】
【０００５】  自動罫引き盤の罫引針ホルダーに取り付け、ダンボールの表面を前後左右の方向に動かして罫引き溝を引くに当たり、ダンボールを引っ掛けて破いたり、傷付けたりする事無く、一定深さの罫引き溝を作りながら滑らかに動く罫引具を提供する。
【課題を解決するための手段】
【０００６】  本考案は上記問題に鑑みてなされたものであり、厚紙に比べて柔らかいダンボールに罫引具を押し付けても一定以上の深さには沈み込まないよう、肩部を持った車を使用する罫引具を考案するに至った。【０００７】  車の回転面が罫引きの進行方向に対して絶えず平行でなければならないので、車の車軸と車がダンボールに接している点を結んだ軸をＢとし、かつ車を保持している保持金具がダンボール面に垂直な回動軸Ａの回りを自在に回動できるようにしてあるとき、回動軸Ａと軸Ｂは平行に１ｍｍ程ずらしておくとよい。【０００８】  ２つの軸Ａと軸Ｂが少しずれていることにより、罫引きするとき、罫引具を動かすと軸Ａに対し軸Ｂは進行方向の反対側の方に絶えずなびき、車の回転面は罫引き方向に対し、絶えず平行に向くようになる。【０００９】  ダンボール表面にほどこしたい罫引きの幅や深さに対応して、車の接触部分の幅と肩の深さや幅を変えた罫引具を用意しておけば、異なった厚さのダンボールや、様々な目的に対応できる。
【考案の効果】
【００１０】  以上述べてきたように本考案の肩付罫引を使用すれば、自動罫引き盤でダンボール表面に、傷つけることなく高速度で美しい罫引き溝を引くことができる。
【考案を実施するための最良の形態】
【００１１】  長さ３０ｍｍ程、直径１５ｍｍ程の支持棒の先端に、コの字型の保持金具が支持棒に対して平行な回動軸Ａを中心として自在に回動できるよう取り付けてある。この保持金具は回転する肩付きの車を持ち、この車の中心面内で車がダンボール面に接する点と車の回転中心の車軸を結んだ軸をＢとすると、回動軸Ａと軸Ｂは１ｍｍ程ずらして並行に設置しておく。
【実施例１】
【００１２】  本考案の肩付罫引を図面に基づいて説明すると、図１には肩付罫引の側面図が示してあり長さ３０ｍｍ、直径１５ｍｍの支持棒１の先端にコの字型の保持金具２が取り付けてあり、この保持金具は支持棒に対して平行な回動軸Ａを中心として自在に回動できるようにしてある。この保持金具は回転する肩付きの車３を持ち、この車がダンボール面に接する点４と車の回転中心の車軸５を結んだ軸をＢとすると、回動軸Ａと軸Ｂは平行のまま１ｍｍずらして取り付けてある。【００１３】  この肩付罫引の正面図が図２に示してある。その車の形状は、ダンボールへの接触部分４の幅が１．５ｍｍ、直径１２ｍｍで、接触部分の両側にはそれぞれ１ｍｍ半径を小さくした幅１．５ｍｍの肩部分６を持たせ、車全体の厚さは４．５ｍｍである。【００１４】  罫引きの際この道具をダンボールに押し付けながら支持棒を移動させると、支持棒の回動軸Ａに対して車軸を通る軸Ｂは進行方向の反対側に回動し、車の回転面は絶えず進行方向７に対して平行に向くようになって、ダンボールに押し付けられて罫引きできるが、車は肩の部分までしかダンボールにめり込まないようになっているので、罫引き溝の深さを一定に設定できる
【産業上の利用可能性】
【００１５】  以上説明したように、本考案の肩付罫引を自動罫引き盤にセットして使用すれば、ダンボールを傷付けることなく、ダンボール表面に高速で自由自在の方向に罫引き溝をつけることができるので、作業の効率化は著しく向上する。また異なった接触部分の幅を持つ肩付車を使用することにより幅の異なる罫引き溝を容易に引くことができる。
【図面の簡単な説明】
【００１６】
【図１】側面図
【図２】正面図
【符号の説明】
【００１７】  １  支持棒
２  保持金具
３  肩付き車
４  ダンボール面に接する点
５  車軸
６  肩部分
７  進行方向
Ａ  支持棒に対して平行な回動軸
Ｂ  車がダンボール面に接する点と車軸を結んだ軸
【図１】
0003140038.tif 000003
【図２】
0003140038.tif 000004
(57)【要約】      （修正有）【課題】冷蔵庫の本体外装に外部シェルフを設けて、冷蔵庫の機能と冷蔵を必要としない小物類用の収納および陳列家具機能を一体化する。【解決手段】冷蔵庫の本体外部側面に、ネジ状の金具を固定するための穴を断熱効果が損なわれない程度の深さに予め複数個所設けておいて、ネジ状の金具を介して冷蔵庫本体とシェルフを固定することにより一体化する。【選択図】図２
0003140031.tif 000002
【実用新案登録請求の範囲】
【請求項１】
冷蔵庫本体の外部側面にシェルフを設けた外部シェルフ付き冷蔵庫。
【請求項２】
請求項１において、冷蔵庫本体の外部側面に、ネジ状の金具を固定するための穴を断熱効果が損なわれない程度の深さに予め複数個所設けておいて、ネジ状の金具を介して冷蔵庫本体とシェルフを固定することを特長とした外部シェルフ付き冷蔵庫。
【請求項３】
請求項１において、冷蔵庫本体とシェルフを取り付けるネジ状の金具の着脱により、シェルフを冷蔵庫本体から取り外し可能とした外部シェルフ付き冷蔵庫。
【請求項４】
請求項２において、冷蔵庫本体とシェルフを取り付けるネジ状の金具の取り付け位置を複数箇所設けて、冷蔵庫本体とシェルフの取り付け位置の変更を可能とした外部シェルフ付き冷蔵庫。
【請求項５】
請求項１において、シェルフの内側に照明器具を設けた外部シェルフ付き冷蔵庫。
【請求項６】
請求項１において、シェルフの材質を木製とした外部シェルフ付き冷蔵庫。
【請求項７】
冷蔵庫本体の外部側面にシェルフを設けた外部シェルフ付き冷蔵庫に取り付けることを可能としたシェルフ。
【請求項８】
棚板の枚数や位置を可変できる構造とした外部シェルフ付き冷蔵庫に取り付けることを可能としたシェルフ。
【考案の詳細な説明】
【技術分野】
【０００１】本考案は、冷蔵庫の外部デザインに関するものである。
【背景技術】
【０００２】一般に冷蔵庫の設置場所であるキッチンやダイニングなどにおいて、調味料用などの小瓶や、コンパクト・ディスク、文庫本などの小物類を手軽に収納して取り出せる設えや、飾って楽しめる設えを望む場合には、その目的のための家具を据え付けるか、あるいは造り付ける場合が多かった。
【考案の開示】
【考案が解決しようとする課題】
【０００３】キッチンやダイニングに据付家具や造付家具を増設することは、設置スペースや資金面などの制約により容易でないことがある。また、収納箇所が分散することによる不便や、家具と家具の隙間によるデッド・スペースの問題など不都合があった。そこで、冷蔵庫本体の外装に外部シェルフを設けて、冷蔵庫の機能と冷蔵を必要としない小物類用の収納、陳列家具機能を一体化させることにより、前述の欠点を解決しようとするものである。
【課題を解決するための手段】
【０００４】本考案は、冷蔵庫の本体外部側面に冷蔵を必要としない小物類用の収納、陳列家具機能を目的とするシェルフを設けることにより、問題点を解決している。例えば、冷蔵庫の本体外部側面に、ネジ状の金具を固定するための穴を断熱効果が損なわれない程度の深さに予め複数個所設けておいて、ネジ状の金具を介して冷蔵庫本体とシェルフを固定することにより一体化させる。あるいは、溶接工事で取り付けることも可能である。
【考案の効果】
【０００５】前述のように、本考案の本体外部側面にシェルフを設けた冷蔵庫は、冷蔵庫本体内部に冷蔵収納の機能を有することは無論だが、加えて、本体外部にも冷蔵を必要としない小物類用の収納および陳列機能を併せ持つことにより、キッチンやダイニングなどの限られたスペースにおいて、従来の冷蔵庫設置面積を越えることなく、収納および陳列スペースをコンパクトにまとめて増加させることに役立つ。シェルフ内は棚板で仕切られた構造であるため、調味料用などの小瓶や、コンパクト・ディスク、文庫本などの小物類をきちんと整理して整然と収納、陳列することが可能である。シェルフの形状が空間に陰影を与える効果があるため、冷蔵庫の意匠性の向上にも寄与する。家電製品である特性を生かして、シェルフ内部に照明を仕込むことも容易であり、そうすることによって前述の陰影効果をさらに引き立てることも期待される。シェルフの素材に木などを使用すれば、一般に冷たく無機質な印象のある冷蔵庫の外観デザインに心地良い素材感を加えることも可能である。冷蔵庫の隣に流し台を置く場合には、高さ１２０ｃｍ程度より高い位置にシェルフを設置することで、流し台上のデッド・スペースを有効利用することも出来るし、また調理時に調味料などを取り出し易いという効果もある。
【考案を実施するための最良の形態】
【０００６】冷蔵庫本体の外部側面に、ネジ状の金具を挿入して固定するための穴を断熱効果が損なわれない程度の深さに予め複数設けておく。一方、シェルフ側にも、ネジ状の金具に固定させる穴を複数設ける。穴の位置を合わせて、ネジ上の金具を挿入して固定することにより、冷蔵庫本体とシェルフを一体化することが出来る。
【実施例】
【０００７】以下、添付図面に従って一実施例を説明する。（１）は冷蔵庫本体、（２）はシェルフである。冷蔵庫本体とシェルフを固定するための穴（４）を介して、双方がネジ状の金具で固定されることにより、冷蔵庫とシェルフが一体化している。
【図面の簡単な説明】
【０００８】
【図１】本考案の外部シェルフ付き冷蔵庫の一実施例を示す正面図である。
【図２】本考案の外部シェルフ付き冷蔵庫の一実施例を示す側面図である。
【符号の説明】
【０００９】（１）冷蔵庫本体
（２）シェルフ
（３）シェルフ棚板
（４）冷蔵庫本体とシェルフを固定するための穴
【図１】
0003140031.tif 000003
【図２】
0003140031.tif 000004
(57)【要約】【課題】  本考案は靴整理保管具本体に靴を垂直状態で乗せて吊り掛ける吊掛台を先端部分に設けた靴吊掛フックを装着して、少スペ−スで多数の靴を整理保管する【解決手段】  本考案は靴整理保管具本体１に泥汚等付着防止板２を設け、その上部に固定支筒３を装着し、その固定支筒３に収納自在の移動自在部分５を設けた靴吊掛フック４を装着し、その靴吊掛フック４の先端部分に滑り止め突起７を上部に設けた吊掛台６を設けて靴を空中に垂直状態で吊り掛けることにより、小スペ−スで靴の整理保管を可能とし且つ、通気性が向上するので整理保管中に靴内の湿気除去に役立つ。【選択図】図１
0003140040.tif 000002
【実用新案登録請求の範囲】
【請求項１】
靴整理保管具本体に泥汚等付着防止板を設け、当該泥汚等付着防止板に靴吊掛フックを固定して支える固定支筒を装着するとともに、当該固定支筒に移動自在の靴吊掛フックを装着し、当該靴吊掛フックの先端部分に滑り止め突起を上部に設けた吊掛台を設け、当該吊掛台に靴底裏を泥汚等付着防止板に向けて爪先部分を下に向けた垂直状態で踵部分を乗せて靴を吊り掛けて整理保管することを特徴とする踵部分吊掛靴整理保管具。
【考案の詳細な説明】
【技術分野】
【０００１】  本考案は、固定支筒に吊掛台を先端部分に設けた靴吊掛フックを装着した、靴整理保管具に関するものである。
【背景技術】
【０００２】  自宅等で靴を脱いだ場合、その靴を下駄箱等に収納する以外は、玄関等に水平状態で置いて整理保管していた。
【考案の開示】
【考案が解決しようとする課題】
【０００３】  靴を水平状態で置いて整理保管すると、靴底のサイズと同スペ−スが必要になり、玄関の狭いマンション、多人数家族の自宅玄関等では恒常的に靴の置場に窮しており、来客時には玄関内に置き切れない事態も生じる。従って、靴を垂直状態で踵部分を吊り掛けて空中を利用する仕組みの靴整理保管具を必要数玄関壁面にセット、また、独立状態にして壁面前等にセットして使用することにより少スペ−スで多数の靴を整理保管することが可能になり、前述の欠点を解決しようとするものである。
【課題を解決するための手段】
【０００４】  本考案は、靴整理保管具本体に泥汚等付着防止板を設け、その泥汚付着防止板に靴吊掛フックを固定して支える固定支筒を装着するとともに、その固定支筒に移動自在の靴吊掛フックを装着し、その靴吊掛フックの先端部分に滑り止め突起を装着した踵部分吊掛台を設けて、靴を垂直状態で吊り掛けて整理保管することにより問題点を解決している。
【考案の効果】
【０００５】  上述の様に、本考案の踵部分吊掛靴整理保管具は少スペ−スで多数の靴を整理保管することは勿論、空中に垂直状態で吊り掛けることにより通気性が向上するので靴内の湿気除去に役立つ。
【考案を実施するための最良の形態】
【０００６】  靴整理保管具本体の固定支筒に収納してある靴吊掛フックの移動自在部分を靴吊掛フックをつまんで手前に引き出すことで、その靴吊掛フック先端部分の吊掛台と泥汚等付着防止板との間に空間が生じ、その空間に靴の踵部分を差し入れた後、靴吊掛フックの移動自在部分を固定支筒内へ押し戻すことで、踵部分を吊掛台に乗せて吊り掛ける状態になる。又、靴吊掛フックをつまんで手前に引いて移動自在部分を固定支筒より引き出すことにより靴の取り外しが自在となる。
【実施例】
【０００７】  以下、添付図面に従って一実施例を説明する。１は耐久性のプラスチック等適宣素材にて一体化形成された靴整理保管具本体、２は該靴整理保管具本体１に設けた泥汚等付着防止板で、３はこの泥汚等付着防止板２に装着した固定支筒、４はこの固定支筒３に装着した靴吊掛フックで、５はこの靴吊掛フック４に設けた固定支筒２に収納自在の移動自在部分で、６は靴の踵部分を乗せて吊り掛ける靴吊掛フック４の先端部分に設けた吊掛台、７は吊り掛けた踵部分の滑り止めをする吊掛台６の上部に設けた滑り止め突起である。
【図面の簡単な説明】
【０００８】
【図１】  本考案の踵部分吊掛靴整理保管具の平面図
【符号の説明】
【０００９】１  靴整理保管具
２  泥汚等付着防止板
３  固定支筒
４  靴吊掛フック
５  移動自在部分
６  吊掛台
７  滑り止め突起
【図１】
0003140040.tif 000003
(57)【要約】      （修正有）【課題】夜間見にくく不安を感じていた道路標識板を見易くして安全運転を図る。【解決手段】道路標識板１の文字２及び矢印等の記号３を蛍光塗料で書くか、或いは蛍光シールを切り抜き貼着して表示することによって、夜間でも鮮明に確認することができる。また標識板１の取付けた際にも僅かに下向きに角度を付けて取付けることによって、運転者が近づいて見上げても見易いいという安心感が得られ運転にも余裕ができる。【選択図】図１
0003140070.tif 000002
【実用新案登録請求の範囲】
【請求項１】
道路上に掲示する道路標識板（１）において、標識板に記載する行先地名文字（２）及び方角記号矢印（３）を蛍光塗料で記載した道路標識板。
【請求項２】
道路上に掲示する道路標識板（１）において、標識板に記載する行先地名文字（２）及び方角記号矢印（３）を蛍光シート（４）で貼着表示した道路標識板。
【請求項３】
高所に掲示する道路標識板（１）を少し前向に傾けて装着する請求項１又は２に記載の道路標識板。
【考案の詳細な説明】
【技術分野】
【０００１】
本考案は夜間に認識し易い道路標識板に関する。
【背景技術】
【０００２】
道路上に掲示されている標識板には、大別して、駐停車禁止区間や速度制限区間等を表示する交通標識板と交叉道路の手前などに掲示される道路標識板の２種類がある。このうち交通標識板は道路脇の高さが低い位置に設置されているため見易いが、道路標識板は高い位置に設置されているのが普通である。
【特許文献１】特開平０９−１０７９７４号公報
【考案の開示】
【考案が解決しようとする課題】
【０００３】
一般に道路標識板には反射塗料により形成されていて、このため夜間走行中、ライトを上向に点灯しているときは標識板に光が当って表示が判別し易いが、ライトを下向にして表示すると近くまで接近しても確認はむずかしく、また、このような標識板は垂直に取付けられているため接近した場合には運転中見上げる角度となる。このため不案内な土地では危険が伴い事故の原因にもなっている。
【課題を解決するための手段】
【０００４】
出願人はこの点について研究を重ねた結果本考案に到達したものであって、本考案は図示のように道路標識板（１）の文字（２）及び矢印等の記号（３）を蛍光塗料で書くか、或は蛍光シールを切り抜き貼着して表示することによって、夜間でも鮮明に確認することができる。また標識板（１）の取付けた際にも図２に示すように僅かに下向きに角度をつ
けて取付けることによって、運転者が近づいて見上げても見易いという安心感が得られ運転にも余裕ができる。
【考案の効果】
【０００５】
本考案の道路標識板は案内の文字及び方向を示す記号を蛍光塗料で記載するため、車で走行中ライトが当らない角度にあるときでも鮮明に読みとれるために安心して運転をすることができる。このため道路に不案内な土地であっても余裕ができて安全運転ができる。
【０００６】
また、本考案の標識板は僅かに下向きに取付けるため、標識板に近づいても正視したままで確認できることで今までの標識板に比較して安全性に卓越した作用効果を奏する。
【考案を実施するための最良の形態】
【０００７】
添付図面により本考案の実施の形態を説明すると、図１は一般に見られる道路標識板（１）の正面図であって、この標識板はこの先方にある交差点の注意標識であって、この交差点の道路の向う方向を示したもので、この行先の都市名の文字及び方向の矢印を蛍光塗料で記入することによって、夜の走行で、例えライトが当らなくても蛍光色によって確認することができる。
【０００８】
また図２は、標識板（１）の取付け角度を示すもので、標識板（１）を僅かに下向きに取付けることによって、車が近づいても運転者は正常な姿勢で文字を確認することができるため安全運転が可能となる。
【産業上の利用可能性】
【０００９】
上述のように本考案では、道路標識板に蛍光塗料を使用することについて記載しているが、この道路標識板に限ることなく、駐停車禁止等を示す交通標識板や店舗の看板等にも利用することができるため、この蛍光塗料の利用は安全運転はもとより、街の活性化にも広く応用できる。
【図面の簡単な説明】
【００１０】
【図１】道路標識板の正面図
【図２】道路標識板の取付け説明図
【符号の説明】
【００１１】
１  道路標識板
２  行先方向の文字
３  行先方向を示す矢印
４  支柱
【図１】
0003140070.tif 000003
【図２】
0003140070.tif 000004
(57)【要約】      （修正有）【課題】犬の首につけたかわいいリボン等の飾りが、散歩中に飾りの重さで、首の下に廻ってしまうのを防止する。【解決手段】首飾りのリボン等の飾り部分、多くはその中心の片側に、金属又は合成樹脂又はゴム又は繊維等からなる丈夫な小さな引っ掛け具をつけておく。通常の犬の散歩等する時の、リードの連結具を首輪の連結環にかけるときに、一緒に首飾り部の本発明の引っ掛け具をもかけておく。このため、犬を散歩させた時、首飾りのリボン等の飾り部分は上に必ず固定される。【選択図】図２
0003140030.tif 000002
【実用新案登録請求の範囲】
【請求項１】
犬のリードが付いた首輪に常に首の上方に飾りを固定することの出来る、丈夫な引っ掛け具を有する犬用おしゃれ首飾り。
【考案の詳細な説明】
【技術分野】
【０００１】  本考案は、犬にかわいいリボン等の飾りがついた、いわゆる、首輪とは別の首飾りに関するものである。
【背景技術】
【０００２】  通常犬は、首輪にリードをつけて戸外につないでおくことが多い。しかしながら、犬が小型化もし、人間と同じように愛情をもって室内で飼う場合が増えているのが現状である。室内で飼う場合にはリードは不要であり、なかには機能のみの首輪をも必要性を持たない。その結果、人間と同じようなアクセサリー的な首飾りをつけることが増えている。これは、首周りの部分が、布、皮、合皮、金属、チェーン、ビーズなどでもよいが（中或いは内側にストレッチ性のあるゴム等のものが使用されていたりする場合もある）従来の首輪とは全く別のものである。この中でも首周りとは別にリボン等飾りが付いているものは見かけも良く、かわいい。しかしながら散歩等するときに首輪、リードとともにこの首飾りを一緒につけて歩かせたりすると、このリボン等の飾りの重さでこの部分が犬の首の下方に廻ってしまい、非常に見苦しくかわいくないこととなっていた。
【考案の開示】
【考案が解決しようとする課題】
【０００３】  犬の首につけたかわいいリボン等の飾りは、首周りの部分にストレッチ性のある素材を使用したり、ゴム等を使用したりして首にフィットさせようとしてみても散歩中に飾りの重さで、首の下に廻ってしまい、飾りをつけた意味が全くなくなってしまうという欠点があった。本考案は前述の欠点を解決しようとするものである。
【課題を解決するための手段】
【０００４】  犬を散歩等させる場合、通常は、輪カン等連結具の付いた首輪（カラー）に連結具が先に付いたリードをつける。その時、一緒に、リボン等の飾りの付いた首飾りをつけるが、散歩したりして動いた時、リボン等の飾りの重さで、その部分が廻って首の下方にきてしまう。飾りが下方に廻らないようにするには、飾りの部分に引っ掛け具をつけ、リードの連結具を首輪にかけると同時にその部分にも掛けておく。
【考案の効果】
【０００５】  この課題を解決したのが、引っ掛け具付き首飾り（図１）である。すなわち、首飾りのリボン等の飾り（図１の２）の部分、多くは、その中心の片側に、金属又は合成樹脂又はゴム又は繊維等からなる丈夫な小さな引っ掛け具（図１の３）をつけておく。リードの連結具（図２の５）を首輪の連結環（図２の７）にかけるときに、一緒に首飾りの本発明の引っ掛け具（図１の３）をもかけておく。このため、犬を散歩等させた時、首飾りのリボン等の飾り（図１の２）は上に必ず固定される。このため、いつでも飾り（図１の２）は見栄えが良く本問題が解決した。
【図面の簡単な説明】
【０００６】
【図１】本発明の引っ掛け具付きおしゃれ首飾り
【図２】本発明の実施例
【符号の説明】
【０００７】１．  首飾りの本体
２．  首飾りのリボン等の飾りの部分
３．  本考案の首飾りの引っ掛け具
４．  リード
５．  リードの連結具
６．  首輪（カラー）
７．  首輪の連結環
【図１】
0003140030.tif 000003
【図２】
0003140030.tif 000004